(57)【特許請求の範囲】
【請求項１】
後見頃の上端縁を、中央部の所定区画を除いてベルト布に縫着し、
後見頃の上端縁がベルト布に縫着されていない前記所定区画の上端部を縦に延長し、延長部分を裏側に二つ折りして連結帯を形成し、
この連結帯を二つ折の折り目がベルト布の下方でベルト布に沿って延びるように設けるとともに、連結帯の上端部をベルトの下端縁に縫着し、
伸縮性布片の一端を連結帯の折り目の近辺に縫着し、他端を連結帯の下方で後見頃に縫着し、
伸縮布片で連結帯が二つ折りに重なるように連結帯を下方へ引っ張り、
かつ連結帯が二つ折りに重なった状態では連結帯の基端縁がベルト布の下端縁に略一致するようにしたことを特徴とするボトム。
【請求項２】
後ポケット用の袋地の上端縁を後見頃に縫着するとともに、袋地の袋口の左右両端部を後見頃にかんぬき止めし、
袋地の前記所定区画側の側縁のかんぬき止めの上部に側縁から横に延びる切り裂き部を形成したことを特徴とする請求項１に記載のボトム。
【発明の詳細な説明】
【技術分野】
【０００１】
本発明はボトムに関し、より詳しくは前屈みに腰を曲げる前傾姿勢をとり易くしたボトムに関する。
【背景技術】
【０００２】
ズボンの一形式として、特許第６２０９３１６号公報に開示されているズボン１００を図８〜図１０に示す。このズボン１００は着用者の腰部に対応する部位で、上端縁がベルト布１０１に縫着され、下端縁が後見頃１０２に縫着された伸縮性生地１０３（図１０参照）と、伸縮性生地１０３に重なるようにして、複数本の横方向に延びるプリーツ１０４ａから成り、上端縁がベルト布１０１に縫着され、下端縁が後見頃１０２に縫着された覆い布１０４を備えている。
【０００３】
このズボン１００によれば、着用者が腰を前に屈めるとき伸縮性生地１０３が上下方向に伸びるとともに、覆い布１０４のプリーツ１０４ａが開くので、前傾姿勢が取り易い。
【先行技術文献】
【特許文献】
【０００４】
【特許文献１】特許第６２０９３１６号公報
【発明の概要】
【発明が解決しようとする課題】
【０００５】
上記した従来のズボン１００の構造は前傾姿勢が取り易いものの、複数本の横方向に延びるプリーツ１０４ａが外観に表れる。そのため作業ズボンと異なり、着用時の見栄えが重要視されるスラックスやスカートには適していない。
本発明はかかる問題点に鑑み、前傾姿勢がとり易く、かつ見栄えの良いボトムを提供することを目的とする。
【課題を解決するための手段】
【０００６】
請求項１に記載の発明に係るボトムは、
後見頃の上端縁を、中央部の所定区画を除いてベルト布に縫着し、
後見頃の上端縁がベルト布に縫着されていない前記所定区画の上端部を縦に延長し、延長部分を裏側に二つ折りして連結帯を形成し、
この連結帯を二つ折の折り目がベルト布の下方でベルト布に沿って延びるように設けるとともに、連結帯の上端部をベルトの下端縁に縫着し、
伸縮性布片の一端を連結帯の折り目の近辺に縫着し、他端を連結帯の下方で後見頃に縫着し、
伸縮布片で連結帯が二つ折りに重なるように連結帯を下方へ引っ張り、
かつ連結帯が二つ折りに重なった状態では連結帯の基端縁がベルト布の下端縁に略一致するようにしたことを特徴とする。
【０００７】
請求項２に記載の発明は、請求項１に記載のボトムにおいて、
後ポケット用の袋地の上端縁を後見頃に縫着するとともに、袋地の袋口の左右両端部を後見頃にかんぬき止めし、
袋地の前記所定区画側の側縁のかんぬき止めの上部に側縁から横に延びる切り裂き部を形成したことを特徴とする。
【発明の効果】
【０００８】
請求項１に記載の発明によれば、着用者が腰を前に屈めるとき、伸縮布片が伸び、それに伴い二つ折の連結帯が開いて伸びるので、前傾姿勢が取り易い。
しかして、本発明によれば、腰を屈めないで背筋を伸ばした状態では、連結帯が伸縮布片で引っ張られて二つ折に重なる。
この状態では連結帯の基端縁がベルト布の下端縁に略一致し、ベルト布の下端縁と連結帯の基端縁がずれないとともに、連結帯が後見頃の内側に隠れてしまう。そのため連結帯でボトムの見栄えが損なわれることはない。
【０００９】
請求項２に記載の発明によれば、着用者が腰を屈めたとき、後ポケットの袋地の切り裂き部が拡開するので、着用者が腰を前に屈めるとき、伸縮布片が伸び、それに伴い二つ折の連結帯が開いて伸びるのが後ポケットによって妨げられることはなく、前傾姿勢がとり易い。
【図面の簡単な説明】
【００１０】
【図１】本発明の実施例に係るズボンを示す側面図である。
【図２】同ズボンの後見頃のまた上部分を示す背面図である。
【図３】同ズボンのまた上部分の表面側を示す展開図である。
【図４】同ズボンのまた上部部分の裏面側を示す展開図である。
【図５】図４の５−５線から切断した断面図である。
【図６】同ズボンの所定区画の表側を示す部分拡大図である。
【図７】同ズボンの所定区画の表側を示す部分拡大図である。
【図８】従来のズボンの後見頃を示す背面図である。
【図９】同ズボンの後見頃のまた上部分の表面側を示す展開図である。
【図１０】図９のＡ−Ａ線から切断した断面図である。
【実施例】
【００１１】
以下に本発明の一実施例に係るズボン１０を図面に基づき説明する。ズボン１０の前見頃１１と後見頃１２の上端縁にベルト布１３とベルト通し１４ａ〜１４ｆが縫着され、前見頃１１に脇ポケット１５が縫着され、後見頃１２に後ポケット１６が縫着されている。
【００１２】
後見頃１２は上端縁の中央部の所定区画１２ａ（図３参照）、すなわち右側の後見頃１２と左側の後見頃１２の縫着部１２ｂ（図４参照）を挟んでその両側に縫着したベルト通し１４ａと１４ｂ（図３参照）の間の約１８ｃｍの長さの区画を除き、その上端縁がベルト布１３の下端縁１３ａに着されている。
【００１３】
後見頃１２の上端縁が縫着されていない中央部分の所定区画１２ａの裏側には連結帯１７（図３、図５、図６、図７参照）が設けられている。図５に示すように、連結帯１７は後見頃１２の所定区画１２ａの上端部を縦に延長し、延長部分を二つ折りし、二つ折りの折り目１７ａがベルト布１３の下方でベルト布１３に沿って延びるように形成されている。そして、連結帯１７の上端部１７ｂがベルト布１３の下端縁１３ａに縫着されている。
【００１４】
連結帯１７の二つ折りの折り目１７ａの近辺に伸縮性布片１８の一端が縫着され、伸縮性布片１８の他端が連結帯１７の下方で後見頃１２に縫着されている。この伸縮性布片１８で連結帯１７が二つ折りに重なるように下方へ引っ張られている。そして、伸縮性布片１８で引っ張られて二つ折りに重なった状態では、連結帯１７の基端縁１７ｃがベルト布１３の下端縁１３ａに略一致するように設けられている。
【００１５】
図４に示すように、後ポケット１６の袋地１６ａはその上端縁が後見頃１２に縫着されている。袋地１６ａの袋口１６ｂの左右両端部は袋口１６ｂを補強するため後見頃１２にかんぬき止め１６ｃされている。そして、袋地１６ａの所定区画１２ａ側の側縁には、かんぬき止め１６ｃの上部に側縁から横に延びる切り裂き部１６ｄが形成されている。
【００１６】
本実施例に係るズボン１０の構造は以上の通りであって、着用者が腰を前に屈めると、図７に示すように、二つ折の連結帯１７が開き、このとき伸縮布片１８は伸びるので、窮屈な思いをすることなく、前傾姿勢を取ることができる。
【００１７】
一方、腰を屈めないで背筋を伸ばした状態では、連結帯１７が伸縮布片１８で引っ張られて二つ折に重なる。この状態では図５及び図６に示すように、連結帯１７の基端縁１７ｃがベルト布１３の下端縁１３ａに略一致し、ベルト布１３の下端縁１３ａと連結帯１７の基端縁１７ｃがずれないとともに、連結帯１７が後見頃１２の内側に隠れてしまう。そのため連結帯１２でズボンの見栄えが損なわれることはない。
【００１８】
後ポケット１６の袋地１６ａの袋口１６ｂはその両角隅部をかんぬき止め１６ｃして補強されているが、着用者が腰を屈めたとき、後ポケット１６の袋地１６ａの切り裂き部１６ｄが拡開するので、二つ折の連結帯１７が開いて伸びるのが後ポケット１６によって妨げられることはない。
【００１９】
なお、上記ズボン１０の連結帯１７は後見頃１２と同じ布地を延長して形成しているが、後見頃１２とは別の布地で形成し、後見頃１２に縫着しても良い。
また、本発明の実施例として本発明を適用したズボンについて説明したが、本発明はズボンだけでなく、スカートにも適用できる。
【符号の説明】
【００２０】
１０…ズボン
１１…前見頃
１２…後見頃
１２ａ…後見頃の上端縁の中央部の所定区画
１３…ベルト布
１３ａ…ベルト布の下端縁
１４ａ〜１４ｅ…ベルト通し
１５…脇ポケット
１６…後ポケット
１６ａ…後ポケットの袋地
１６ｂ…袋地の袋口
１６ｃ…かんぬき止め
１６ｄ…切り裂き部
１７…連結帯
１７ａ…連結帯の二つ折の折り目
１７ｂ…連結帯の上端部
１７ｃ…連結帯の基端縁
１８…伸縮布片
【要約】
【課題】前傾姿勢がとり易く、かつ見栄えの良いボトム１０を提供すること。
【解決手段】着用者が腰を前に屈めると、二つ折の連結帯１７が開き、このとき伸縮布片１８は伸びるので、窮屈な思いをすることなく、前傾姿勢を取ることができる。腰を屈めないで背筋を伸ばした状態では、連結帯１７が伸縮布片１８で引っ張られて二つ折に重なる。この状態では連結帯１７の基端縁１７ｃがベルト布１３の下端縁１３ａに略一致し、ベルト布１３の下端縁１３ａと連結帯１７の基端縁１７ｃがずれないとともに、連結帯１７が後見頃１２の内側に隠れてしまう。そのため連結帯１２でボトムの見栄えが損なわれることはない。
【選択図】図５【図１】
0006746822.tif 000002
【図２】
0006746822.tif 000003
【図３】
0006746822.tif 000004
【図４】
0006746822.tif 000005
【図５】
0006746822.tif 000006
【図６】
0006746822.tif 000007
【図７】
0006746822.tif 000008
【図８】
0006746822.tif 000009
【図９】
0006746822.tif 000010
【図１０】
0006746822.tif 000011